(57)【特許請求の範囲】
【請求項１】
筐体と、前記筐体に内包され衣類出入用の第１開口部を有する有底円筒状の外槽と、前記外槽に回転自在に内包され前記第１開口部に対応して開口する第２開口部と前記筐体の正面側から背面側に向かって下向きに傾斜した回転軸とを有する有底円筒状の回転ドラムと、前記外槽内に給水する給水手段と、前記外槽底部内面と外槽胴部内面との境界近傍に設けられ前記回転ドラムの回転に伴って前記外槽内を回転する洗濯水が入り込む取水口と、前記取水口と一端が連通する循環水路と、前記循環水路の他端と連通し前記回転ドラム内に洗濯水を吐出する吐出口と、洗い、すすぎ、脱水等の各行程を実行する制御手段とを備え、前記制御手段は、第１の所定回転速度で前記回転ドラムを回転させることにより、洗濯物を遠心力で前記回転ドラムの内周壁に張り付かせるとともに前記吐出口から洗濯水を吐出させる張り付き行程と、前記回転ドラムを前記第１の所定回転速度より低い第２の所定回転速度で回転させることにより、前記洗濯物を前記回転ドラムの回転により回転方向に持ち上げて適当な高さから落下させるとともに前記吐出口から前記張り付き行程より少量の洗濯水を吐出させるかまたは洗濯水を吐出させない叩き洗い行程とを実行することを特徴とするドラム式洗濯機。
【請求項２】
制御手段は、叩き洗い行程を第１の所定時間実行し、張り付き行程を前記第１の所定時間より短い第２の所定時間実行することを特徴とする請求項１記載のドラム式洗濯機。
【請求項３】
張り付き行程と叩き洗い行程とを所定回数または第３の所定時間経過するまで繰り返して行うことを特徴とする請求項１または２に記載のドラム式洗濯機。
【請求項４】
制御手段は、第１の所定回転速度より高い第３の所定回転速度で回転ドラムを回転させることにより外槽内の洗濯水を泡立たせる泡生成行程を実行することを特徴とする請求項１〜３のいずれか１項に記載のドラム式洗濯機。
【請求項５】
泡生成行程における洗濯水の水位は、叩き洗い行程および張り付き行程における洗濯水の水位より低いことを特徴とする請求項４に記載のドラム式洗濯機。
【請求項６】
制御手段は、泡生成行程を叩き洗い行程および張り付き行程より前に実行することを特徴
とする請求項４または５に記載のドラム式洗濯機。
【請求項７】
制御手段は、泡生成行程より後であって張り付き行程より前に給水を行うことにより、張り付き行程における洗剤濃度を泡生成行程における洗剤濃度より低くしたことを特徴とする請求項６記載のドラム式洗濯機。
【請求項８】
給水手段は、回転ドラムの第２開口部から前記回転ドラム内へ給水する第１の給水手段と、洗剤を収納する洗剤ケースを介して外槽内に給水する第２の給水手段とからなり、制御手段は、前記第１の給水手段による給水を所定時間行った後、前記第２の給水手段により所定水位まで給水することを特徴とする請求項１〜７のいずれか１項に記載のドラム式洗濯機。
【請求項９】
制御手段は、洗剤を溶解する洗剤溶解行程を、泡生成行程より前に実行することを特徴とする請求項１〜８のいずれか１項に記載のドラム式洗濯機。
【発明の詳細な説明】
【技術分野】
【０００１】
本発明は、水平方向もしくは斜め方向に回転軸を有する回転ドラム内で洗濯、すすぎ、脱水等の各行程を行うドラム式洗濯機に関するものである。
【背景技術】
【０００２】
従来におけるこの種のドラム式洗濯機について以下説明する。
【０００３】
図１３は、回転ドラムの回転軸が水平方向であるドラム式洗濯機の断面図である。ドラム式洗濯機の筐体１０１内に、サスペンションによって支持された外槽１０２と、外槽１０２内に回転自在に支持された回転ドラム１０３を配設している。回転ドラム１０３は、駆動モータ１０４によって回転駆動される。筐体１０１の正面側に開閉自在に設けた扉体１０５を開くことにより、外槽１０２の開口部１０２ａ及び回転ドラム１０３にある開口部１０３ａを通して洗濯物を回転ドラム１０３内から出し入れすることができるようになっている（例えば、特許文献１参照）。
【０００４】
このようなドラム式洗濯機における洗濯行程について説明する。扉体１０５が開かれて回転ドラム１０３内に洗濯物が投入され、さらに洗剤が投入されて運転が開始されると、まず、給水弁１０６を開き外槽１０２内に所定の水位まで給水する。その後、駆動モータ１０４により回転ドラム１０３を所定回転速度で回転駆動させると、回転ドラム１０３に収容された洗濯物は、回転ドラム１０３の内面に設けられた撹拌突起１０７に引っ掛けられて回転方向に持ち上げられて適当な高さから落下しその衝撃力で洗濯される、いわゆる叩き洗いを行う。
【０００５】
この洗濯行程の後、汚れた洗濯水を排水し、新たに供給した水を用いてすすぎ行程を実行し、すすぎ行程が終了すると回転ドラム１０３を高速回転させる脱水行程を行う。
【０００６】
このような構成では、洗濯物が十分洗濯水を含まない状態で洗濯行程を行うので、洗浄力の不足や、洗浄ムラ、さらに一定の洗浄力を確保するには洗いに時間がかかるという課
題があった。
【０００７】
これらの課題を解決するものとして、外槽１０２内に溜まった洗濯水を循環ポンプで吸い上げ、回転ドラム内に戻すことにより洗濯物に洗濯水を十分に給水させて洗浄力を高める技術がある（例えば、特許文献２参照）。
【特許文献１】特開平９−２１５８９４号公報
【特許文献２】特開平９−２１５８９３号公報
【発明の開示】
【発明が解決しようとする課題】
【０００８】
しかしながら、このような従来のドラム式洗濯機では、循環ポンプにより循環することができる水量は循環ポンプの大きさによって異なるため、洗濯物に洗濯水を十分に給水させるには大きな循環ポンプが必要となるが、洗濯機本体をコンパクト化するには循環ポンプも小さくせざるを得ず、そのため十分な循環水量を得ることができないという問題があった。また、循環ポンプという新たな構成が必要となってしまうため複雑な構成となり、製造コストがかかるものであった。
【０００９】
本発明は、上記従来の課題を解決するもので、循環ポンプ等を用いることなく外槽内の洗濯水を回転ドラム内に戻すことにより、洗浄力を向上させ、洗浄ムラを減少させることができるとともに製造コストを低く抑えるドラム式洗濯機を提供することを目的とする。
【課題を解決するための手段】
【００１０】
上記目的を達成するために、本発明のドラム式洗濯機は、筐体と、前記筐体に内包され衣類出入用の第１開口部を有する有底円筒状の外槽と、前記外槽に回転自在に内包され前記第１開口部に対応して開口する第２開口部と前記筐体の正面側から背面側に向かって下向きに傾斜した回転軸とを有する有底円筒状の回転ドラムと、前記外槽内に給水する給水手段と、前記外槽底部内面と外槽胴部内面との境界近傍に設けられ前記回転ドラムの回転に伴って前記外槽内を回転する洗濯水が入り込む取水口と、前記取水口と一端が連通する循環水路と、前記循環水路の他端と連通し前記回転ドラム内に洗濯水を吐出する吐出口と、洗い、すすぎ、脱水等の各行程を実行する制御手段とを備え、前記制御手段は、第１の所定回転速度で前記回転ドラムを回転させることにより、洗濯物を遠心力で前記回転ドラムの内周壁に張り付かせるとともに前記吐出口から洗濯水を吐出させる張り付き行程と、前記回転ドラムを前記第１の所定回転速度より低い第２の所定回転速度で回転させることにより、前記洗濯物を前記回転ドラムの回転により回転方向に持ち上げて適当な高さから落下させるとともに前記吐出口から前記張り付き行程より少量の洗濯水を吐出させるかまたは洗濯水を吐出させない叩き洗い行程とを実行することを特徴とするものである。
【００１１】
特に、張り付き行程において回転ドラムを第１の所定回転速度で回転させることにより、回転ドラムの回転に伴って回転する外槽内の洗濯水を外槽に設けた取水口に取り込み、その取水口から取り込んだ洗濯水を吐出口から回転ドラムに吐出することにより、洗濯水を洗濯物にふりかけて循環させることができ、十分な循環水量を確保することができる。これにより洗濯水が洗濯物に含まれやすくなるため、洗浄力が向上し、洗浄ムラを減少させることができる。
【発明の効果】
【００１２】
本発明のドラム式洗濯機は、循環ポンプ等を用いることなく十分な循環水量を確保して外槽内の洗濯水を回転ドラム内に戻すことにより、洗浄力を向上させ、洗浄ムラを減少させることができるとともに製造コストを低く抑えることができる。
【発明を実施するための最良の形態】
【００１３】
第１の発明におけるドラム式洗濯機は、筐体と、前記筐体に内包され衣類出入用の第１開口部を有する有底円筒状の外槽と、前記外槽に回転自在に内包され前記第１開口部に対応して開口する第２開口部と前記筐体の正面側から背面側に向かって下向きに傾斜した回転軸とを有する有底円筒状の回転ドラムと、前記外槽内に給水する給水手段と、前記外槽底部内面と外槽胴部内面との境界近傍に設けられ前記回転ドラムの回転に伴って前記外槽内を回転する洗濯水が入り込む取水口と、前記取水口と一端が連通する循環水路と、前記循環水路の他端と連通し前記回転ドラム内に洗濯水を吐出する吐出口と、洗い、すすぎ、脱水等の各行程を実行する制御手段とを備え、前記制御手段は、第１の所定回転速度で前記回転ドラムを回転させることにより、洗濯物を遠心力で前記回転ドラムの内周壁に張り付かせるとともに前記吐出口から洗濯水を吐出させる張り付き行程と、前記回転ドラムを前記第１の所定回転速度より低い第２の所定回転速度で回転させることにより、前記洗濯物を前記回転ドラムの回転により回転方向に持ち上げて適当な高さから落下させるとともに前記吐出口から前記張り付き行程より少量の洗濯水を吐出させるかまたは洗濯水を吐出させない叩き洗い行程とを実行するものである。
【００１４】
この構成によると、特に、張り付き行程において回転ドラムを第１の所定回転速度で回転させることにより、回転ドラムの回転に伴って回転する外槽内の洗濯水を外槽に設けた取水口に取り込み、その取水口から取り込んだ洗濯水を吐出口から回転ドラムに吐出することにより、洗濯水を洗濯物にふりかけて循環させことができ、十分な循環水量を確保することができる。これにより洗濯水が洗濯物に含まれやすくなるため、洗浄力が向上し、洗浄ムラを減少させることができる。また、張り付き行程では、回転ドラムを第１の所定回転速度で回転させることにより、洗濯物を遠心力で回転ドラムの内壁に張り付かせ、泡を含む洗濯水を回転ドラムに循環させて洗濯物に浸透させることができる。さらに、叩き洗い行程では、第１の所定回転速度より低い第２の所定回転速度で回転ドラムを回転させることにより、洗濯水を張り付き行程より少ない水量を循環させるかまたは循環させずに、洗濯物を回転ドラムの内壁に張り付かせることなく回転ドラムの回転方向に持ち上げて適当な高さから落下させて洗浄する叩き洗いを行うので、洗濯水が回転ドラム内に吐出し続けることでその衝撃によって洗剤泡が充満してしまい洗剤泡がクッションとなって叩き洗いの効果が十分得られないという状況を防ぐことができる。
【００１５】
第２の発明は、前記請求項１に記載の発明において、制御手段は、叩き洗い行程を第１の所定時間実行し、張り付き行程を前記第１の所定時間より短い第２の所定時間実行するものである。
【００１６】
この構成によると、張り付き行程を実行する時間は叩き洗い行程を実行する時間より短いので、洗濯水を吐出口から吐出させたときに洗濯物や回転ドラムの内周面と当たる衝撃により生じる洗剤泡の発生量を抑えることができる。
【００１７】
第３の発明は、前記請求項１または２に記載の発明において、張り付き行程と叩き洗い行程とを所定回数または第３の所定時間経過するまで繰り返して行うものである。
【００１８】
この構成によると、外槽に溜まった洗濯水を回転ドラム内に循環させ洗濯物に洗濯水を浸透させる張り付き行程と、叩き洗いを行う叩き洗い行程とを繰り返し行うことができるので、洗濯物に洗濯水を十分に含ませた状態で何度も叩き洗いを行うことができ、洗浄力を向上させることができる。
【００１９】
第４の発明は、前記請求項１〜３に記載の発明において、制御手段は、第１の所定回転速度より高い第３の所定回転速度で回転ドラムを回転させることにより外槽内の洗濯水を泡立たせる泡生成行程を実行するものである。
【００２０】
この構成によると、泡生成行程において大量に洗剤泡を生成し、洗濯物に洗剤泡を浸透させることができるので、洗浄力を上げることができる。また、第１の所定回転速度より高い第３の所定回転速度で回転させるので、低い水位でも循環水量を確保することができる。
【００２１】
第５の発明は、前記請求項４記載の発明において、泡生成行程における洗濯水の水位は、叩き洗い行程および張り付き行程における洗濯水の水位より低いものである。
【００２２】
この構成によると、泡生成行程における水位を低くすることにより、洗い行程初期に高濃度の洗剤泡を生成して衣類にふりかけて循環することができ、洗浄力を上げることができる。また、叩き洗い行程および張り付き行程における水位を高くすることにより、洗剤濃度が低くなり泡立ちが抑えられ、また水位が高いため、泡立ちを抑えるために回転ドラムの回転速度を泡生成行程より低くしても、十分に循環水量を得ることができる。
【００２３】
第６の発明は、前記請求項４または５に記載の発明において、制御手段は、泡生成行程を叩き洗い行程および張り付き行程より前に実行するものである。
【００２４】
この構成によると、泡生成行程において洗剤泡を発生させて洗濯物に浸透させ、その後叩き洗いを行うので、洗剤による洗浄力を上げることができる。
【００２５】
第７の発明は、前記請求項６記載の発明において、制御手段は、泡生成行程より後であって張り付き行程より前に給水を行うことにより、張り付き行程における洗剤濃度を泡生成行程における洗剤濃度より低くしたものである。
【００２６】
この構成によると、張り付き行程における洗剤濃度が低くなり泡立ちが抑えられ、また水位が高いため、泡立ちを抑えるために回転ドラムの回転速度を泡生成行程より低くしても、十分に循環水量を得ることができる。
【００２７】
第８の発明は、前記請求項１〜７記載の発明において、給水手段は、回転ドラムの第２開口部から前記回転ドラム内へ給水する第１の給水手段と、洗剤を収納する洗剤ケースを介して外槽内に給水する第２の給水手段とからなり、制御手段は、第１の給水手段による給水を所定時間行った後、第２の給水手段により所定水位まで給水するものである。
【００２８】
この構成によると、同じ水量を第２の給水手段のみで給水する場合に比べ、洗濯物に含まれる水量が増えるため外槽内に溜まる洗濯水の量が少量になり、外槽内に溜まる洗濯水を減らすことができる。これにより、洗剤泡を含む洗濯水の体積を減らすことができる。また、洗剤が外槽内に投入される時間が遅くなるので、洗濯水がリブに掻きあげられる時間を短くすることができ、発生する洗剤泡の量を制限することができる。
【００２９】
第９の発明は、前記請求項１〜８記載の発明において、制御手段は、回転ドラムを回転させて洗剤を溶解する洗剤溶解行程を、泡生成行程より前に実行するものである。
【００３０】
この構成によると、洗剤が洗濯水に溶けずに洗濯物に付着するのを防ぐことができ、また洗濯水に洗濯物の汚れが溶解する前に洗剤を溶解させるので、汚れが洗濯水に溶解することにより泡生成行程において洗剤泡の発生が抑えられるのを防ぐことができる。
【００３１】
以下、本発明の実施の形態について、図面を参照しながら説明する。なお、この実施の形態によって本発明が限定されるものではない。
【００３２】
（実施の形態１）
図１は、本発明の第１の実施の形態におけるドラム式洗濯機の断面図を示している。図１において、ドラム式洗濯機の筐体１内には、有底円筒状の外槽６が図示しないサスペンション構造によって筐体１の正面側から背面側に向かって下向きに傾斜した状態で支持されている。外槽６は外槽本体２と外槽カバー３とで構成され、その接続部分で第１のパッキング部材４を介して接続固定されている。外槽６は、その内側に有底円筒形に形成された回転ドラム５を、その回転軸が筐体１の正面側から背面側に向かって下向きに傾斜するように回転自在に支持している。
【００３３】
筐体１の正面側には、洗濯物を出し入れするための筐体開口部１ａが設けられており、さらにその筐体開口部１ａを開閉自在に覆う扉体８が設けられている。
【００３４】
外槽カバー３には、筐体開口部１ａの対応位置に外槽カバー開口部（第１開口部）３ａが設けられており、回転ドラム５には、筐体開口部１ａ及び外槽カバー開口部３ａの対応位置に、回転ドラム開口部５ａ（第２開口部）が設けられている。この筐体開口部１ａ、外槽カバー開口部３ａ及び回転ドラム開口部５ａを介して、筐体１の外から回転ドラム５内への洗濯物の出し入れを行う。
【００３５】
回転ドラム５は、回転ドラム開口部５ａが設けられた回転ドラム前面部５ｂ、有底円筒状の胴部を構成する回転ドラム胴部５ｃ及び底部を構成する回転ドラム底部５ｄより構成され、また回転ドラム胴部５ｃの内面には撹拌突起５ｅが複数個設けられており、外槽本体２の外槽本体底部２ｃの外方に取り付けられた駆動モータ７によって回転駆動され、その回転速度や回転方向は可変である。
【００３６】
第１の給水弁（第１の給水手段）９には、第１給水ホース１０ａの一端が接続され、第１給水ホース１０ａの他端は、注水口金部１０ｂに接続されている。注水口金部１０ｂは、注水される水が略水平方向に広がりながら回転ドラム５内へ注水されるようスリット状に開口しており、回転ドラム５内に広がるように注水される。
【００３７】
第２の給水弁（第２の給水手段）１１には、第２給水ホース１３ａの一端が接続され、第２給水ホース１３ａの他端は洗剤１３ｂを収納する洗剤ケース１３ｃに接続され、さらに洗剤ケース１３ｃの下部に第３給水ホース１３ｄの一端が接続され、第３給水ホース１３ｄの他端が外槽６に接続されて、外槽６内に給水できるようにしている。
【００３８】
洗剤ケース１３ｃの上面には、第２給水ホース１３ａにより給水された水を洗剤ケース１３ｃ内へシャワー状に注水する複数の注水穴１３ｅが設けられ、注水穴１３ｅから出たシャワー状の水は洗剤１３ｂの上に落下し、洗剤１３ｂとともに外槽６内に流れ落ちる。外槽６内へ流れ落ちた洗濯水は、排水管路４２の途中に設けられた排水弁４３が開かれることにより、外槽６外へ排水される。
【００３９】
また、本実施の形態１におけるドラム式洗濯機は、回転ドラム５内の洗濯物を乾燥させる乾燥機能を有している。図２は、本発明の第１の実施の形態における外槽６内に送風する循環送風経路を示す側断面図であり、図３は、本発明の第１の実施の形態における外槽６内に送風する循環送風経路を示す断面図である。
【００４０】
図２に示すように、筐体１の上方にはヒータ４４と送風ファン４５とを内部に収容したファンケース４６が設けられている。この送風ファン４５を回転させることにより、循環送風経路内に空気の流れが発生し、回転ドラム５内の空気は、回転ドラム５の側壁に設けられた通水孔５ｇを通して、外槽６の胴部に設けた温風取入口４７から、一端が温風取入口４７と連通する熱交換経路４８へ排気される。この熱交換経路４８において空気は除湿され、さらに熱交換経路４８の他端と連通する第１蛇腹ホース４９を介してファンケース
４６へ送り込まれる。ファンケース４６内でヒータ４４に加熱された空気は、ファンケース４６と一端が連通する第２蛇腹ホース５０を介して温風送風経路５１を通り、さらに外槽６の背面に設けられ温風送風経路５１の他端と連通する温風送風口５２から外槽６内に送風され、回転ドラム５の背面に設けられた背面透孔５ｈを通って回転ドラム５内に再び送風される。
【００４１】
このような空気の循環を所定時間繰り返すことにより洗濯物の乾燥がなされる。
【００４２】
また、図３に示すように、この温風送風経路５１内には洗剤泡の侵入を検知する泡検知手段５３が設けられている。外槽６内に洗剤泡が過剰に発生して温風送風経路５１内に入り込み、泡検知手段５３の位置まで達したとき、泡検知手段５３は洗剤泡を検知する。泡検知手段５３が洗剤泡を検知すると、これ以上洗剤泡を増やさないようにするため、泡生成行程（後述）を行わずに第２の給水行程（後述）へ進むようにしている。これは、洗剤泡がさらに生成されて泡検知手段５３の位置よりもさらに温風送風経路５１の奥へ侵入すると、洗剤泡が送風ファン４５やヒータ４４等の電気部品に付着してしまい故障等の不具合が発生してしまうためである。
【００４３】
さらに、洗濯物の量に応じて駆動モータ７が受ける負荷変化から洗濯物の量を検知する布量検知手段１２、外槽６内の洗濯水の水位を検知する水位検知手段１４（図４に示す）及び洗濯行程から脱水行程までの運転動作の一連行程を制御する制御装置１５（図４に示す）などを設けている。
【００４４】
図４は、本発明の第１の実施の形態における制御装置１５の構成を示すブロック図である。制御装置１５は、制御手段１６、設定手段１７、記憶手段１８及びパワースイッチング手段１９等から構成される。マイクロコンピュータにより構成される制御手段１６は、設定手段１７から入力される運転コースの選択などの設定入力に応じて、記憶手段１８に記憶された制御プログラムを用いてパワースイッチング手段１９に制御指令を出力する。
【００４５】
パワースイッチング手段１９はＳＣＲ等のスイッチング素子を用いて構成されており、制御手段１６からの制御指令に応じて駆動モータ７、第１の給水弁９、第２の給水弁１１および排水弁４３などの動作を制御する。
【００４６】
図５は、本発明の第１の実施の形態における外槽本体２の斜視図である。外槽本体２は、外槽本体開口部２ａ、外槽本体胴部２ｂおよび外槽本体底部２ｃを有する有底円筒型である。
【００４７】
外槽本体底部２ｃと外槽本体胴部２ｂの境界部の近傍であって外槽本体底部２ｃ内面には、略凹状に形成された外槽本体底溝部２ｄを、外槽本体胴部２ｂと略同心円の円弧状に設けている。外槽本体底溝部２ｄには、内面側より外槽本体底溝部２ｄに対応した形状の外槽本体溝蓋２３が、その外周近傍に設けられた第２のパッキング部材２４を介して外周部をねじ２５にてねじ止め固定されており、この外槽本体底溝部２ｄと外槽本体溝蓋２３とにより第１の循環水路２２が形成されている。
【００４８】
第１の循環水路２２の一端である取水口２０は、底面が外槽本体底溝部２ｄの底面から外槽本体底部２ｃの内面まで徐々に変化する案内凹部２１に連通している。また、外槽本体２には、その外槽本体胴部２ｂの外側に、外槽本体開口部２ａから外槽本体底部２ｃまで連通するパイプ状の第２の循環水路２６が一体に形成されており、この第２の循環水路２６の外槽本体底部２ｃ側の端が第１の循環水路２２の他端に連通している。
【００４９】
図６は、本発明の第１の実施の形態における外槽カバー３の斜視図である。
【００５０】
外槽カバー３は、外槽カバー開口部３ａが設けられた外槽カバー前面部３ｂと、外槽カバー胴部３ｃと、外槽カバー後方開口部３ｄを有する略円筒状に形成されている。
【００５１】
外槽カバー３には、その外槽カバー胴部３ｃの外側で、第２の循環水路２６に対応する位置に外槽カバー後方開口部３ｄから外槽カバー前面部３ｂまで連通する第３の循環水路２７が一体に形成されている。
【００５２】
外槽カバー前面部３ｂ内面には、略凹状に形成された外槽カバー前面溝部３ｅを、外槽カバー前面部３ｂの外周側から外槽カバー開口部３ａに近づくにつれ、途中で二股に分かれるような略Ｙ字状に設けられている。この外槽カバー前面溝部３ｅには、内面側より外槽カバー前面溝部３ｅの形状に対応した形状の外槽カバー溝蓋２９が、その外周近傍に設けられた第３のパッキング部材３０を介して、外周部をねじ３１にてねじ止め固定されている。この外槽カバー前面溝部３ｅと外槽カバー溝蓋２９とにより、略Ｙ字状の第４の循環水路２８が形成されている。
【００５３】
第４の循環水路２８の略Ｙ字状の下側端である一端は、第３の循環水路２７の外槽カバー前面部３ｂ側の端と連通している。外槽カバー溝蓋２９には、二股に分かれた先端部分の近傍に、洗濯水を吐出するための循環ノズル３４がそれぞれ設けられている。
【００５４】
この構成により、図６に示すように循環ノズル３４は、外槽カバー開口部３ａの外周近傍で、かつ、外槽カバー前面部３ｂの内面側であって、回転ドラム開口部５ａ内に面するように配設されている。
【００５５】
また、外槽本体２と外槽カバー３が接続固定され外槽６として筐体１に支持された状態において、循環ノズル３４は、外槽カバー前面部５ｃの下半分の部分に位置し、取水口２０より低い位置になるように設けられている。
【００５６】
また、外槽本体２と外槽カバー３が接続固定された時において、第２の循環水路２６と第３の循環水路２７は、前述した外槽本体２と外槽カバー３を接続固定する方法と同様にして第１のパッキング部材４を介して接続固定されている。
【００５７】
図７（ａ）は本発明の第１の実施の形態における循環ノズル３４の正面図、図７（ｂ）は同循環ノズル３４の平面図、図７（ｃ）は同循環ノズル３４の側断面図である。循環ノズル３４は、一端が第４の循環水路２８と連通し、他端が回転ドラム５の内面側へ突出した、略円筒状のノズル３４ａと、下半分がノズル３４ａの突出した端の下半分と一体に形成され、上半分が回転ドラム５の内面側へ向かうにつれてノズル３４ａから離れるように傾斜し、その上端の高さがノズル３４ａの上端と略同じ高さになるように形成された略円盤状の調節板３３とで、構成されている。この調節板３３の上半分をノズル３４ａと離すことにより吐出口３２を形成している。また、調節板３３の傾斜角度を調節することにより、第１〜４の循環水路２２、２６、２７、２８を通ってきた洗濯水の吐出角度を調節することができる。
【００５８】
図８は、本発明の第１の実施の形態における回転ドラム５の回転ドラム底部５ｄの外方からの平面図であり、図９は、回転ドラム５の縦断面図である。
【００５９】
回転ドラム底部５ｄは、その外周に外側へ突出するフランジ部５ｆを設けることで、略凹状に形成され、回転ドラム胴部５ｃの後端部分と、フランジ部５ｆとをかしめまたは溶接等により連接している。
【００６０】
この回転ドラム底部５ｄの外面側のフランジ部５ｆ内には、３本の延設部３５ａを略放射状に有するアルミダイキャスト製のドラム固定部材３５が設けられるとともに、３本の延設部３５ａ間に、それぞれ回転ドラム底部５ｄの外周に沿うように形成された略円弧状のリブ取付部材３７が設けられている。
【００６１】
ドラム固定部材３５は、モータ７から延出したシャフト７ａとその中央部分で連結され、モータ７の回転を回転ドラム５に伝達している。
【００６２】
リブ取付部材３７は、外周に後方へ凸の外壁４０および内壁４１を設けることで、略凹状に形成し、その内部に外壁４０と内壁４１とを連結する複数本のリブ３８を外壁４０と内壁４１とほぼ同じ高さで、外周側に向かうにつれ外槽６内を回転する洗濯水の流れ方向に向かって所定の角度で傾斜させ、かつ、外槽６内を回転する洗濯水の流れ方向と反対方向に凸となるように湾曲させている。
【００６３】
以上のように構成されたドラム式洗濯機について、以下その動作及び作用を説明する。図１０および図１１は洗い行程のフローチャートであり、図１０は、布量判定行程から泡生成行程までのフローチャート、図１１は、第２給水行程から張り付き行程までのフローチャートである。
【００６４】
Ｓ１００において、回転ドラム５内に洗濯物が投入され運転開始の入力が行われると、制御手段１６は、制御プログラムを記憶手段１８から読み出し、以下のような制御動作を行う。
【００６５】
Ｓ１０１では、布量検知手段１２により回転ドラム５を回転させることにより洗濯物の量を検知し、検知した洗濯物の量を記憶手段１８に記憶する（布量判定行程）。
【００６６】
次にＳ１０２では、第１の給水弁９を開き、第１給水ホース１０ａを通して注水口金部１０ｂから回転ドラム内に注水する。注水口金部１０ｂはスリット状に開口しているため、注水された水は略水平方向に広がって回転ドラム５内の洗濯物にふりかかり、洗濯物に浸透する。第４の所定時間（例えば、６０秒）給水すると（Ｓ１０３）、Ｓ１０４で第１の給水弁９を閉じ、給水を停止する。
【００６７】
次にＳ１０５では、第２の給水弁１１を開き第２給水ホース１３ａを通して洗剤ケース１３ｃに水を流し込むとともに、第１の給水弁９からの給水（Ｓ１０２）を始めるのと並行して、回転ドラム５を第４の所定回転速度（例えば、３５ｒ／ｍｉｎ）で筐体１の正面側から見て左回転させる。洗剤ケース１３ｃに流れ込んだ水は、洗剤ケース１３ｃの上面に設けられた複数の注水穴１３ｅを通過し、シャワー状に洗剤１３ｂ上へ流れ落ちる。その後、水は洗剤１３ｂとともに洗剤ケース１３ｃの下部に接続した第３給水ホース１３ｄを通り、外槽６内に流れ込む。Ｓ１０６において、第１の水位まで水が給水されたことを水位検知手段１４により検知すると、Ｓ１０７において第２の給水弁１１を閉じて給水を停止するとともに、回転ドラム５の回転を停止させる。
【００６８】
この第１の給水行程（Ｓ１０２〜Ｓ１０７）において、回転ドラム５を左回転させているのは、温風送風経路５１に設けた泡検知手段５３により洗濯泡が検知されにくいようにするためである。
【００６９】
すなわち、第１の給水行程において回転ドラム５を低い第４の所定回転速度で回転させているため、外槽６に溜まった洗剤１３ｂを含む水（以下、洗濯水という）は、作用する遠心力が小さいため外槽本体胴部２ｂと外槽本体底部２ｃの境界近傍を回転せずに途中で下方に落ちてしまう。そのため、外槽本体底部２ｃの上方に設けた取水口２１に洗濯水は
ほとんど入らないため回転ドラム５内へ循環されず、外槽６内には回転ドラム５の回転により洗剤泡が発生して洗濯水の体積が増える一方となる。
【００７０】
また、回転ドラム５の回転ドラム底部５ｄには、図８に示すようにリブ３８を設けているため、リブ３８を設けていない場合に比べて洗剤泡が発生しやすい。特に、リブ３８は筐体１の正面側から見て右回転方向（矢印Ｂの向き）に向かって傾斜させた状態で形成しているため（図８は本体１の後面側から見た図）、回転ドラム５を右回転させるとリブ３８がより多くの洗濯水を掻きあげることにより洗剤泡が大量に発生してしまう。
【００７１】
さらに、温風送風経路５１は、図３に示すように回転ドラム５を筐体１の正面側から見て左回転よりも右回転させたときに洗濯水が矢印Ａの方向へ取り込まれやすい形状であるため（図３は筐体１の背面側から見た図）、右回転させるとより多くの洗剤泡が泡検知手段５３を内部に有する温風送風経路５１に入り込んでしまう。
【００７２】
したがって、回転ドラム５の回転方向を筐体１の正面側から見て左回転（図９の矢印Ｄ）とすることにより、リブ３８が洗濯水を掻きあげにくくして洗剤泡の発生を抑え、洗剤泡が温風送風経路５１に入るのを抑えている。
【００７３】
以上のように、第１の給水行程において、第１の給水弁９により回転ドラム５内に直接給水して水を洗濯物に浸透させ、第２の給水弁１１により洗剤１３ｂと共に外槽６内に流れ落ちるように給水するので、第２の給水手段のみで給水する場合に比べると、同じ水量を給水しても洗濯物に浸透する洗濯水の量が増えるので、外槽６内に溜まる洗濯水の量が少量になり、洗剤泡を含む洗濯水の体積を減らすことができる。また、洗剤１３ｂが外槽６内に投入される時間が遅くなるので、洗濯水がリブ３８に掻きあげられる時間を短くすることができ、洗剤泡の発生を制限することができる。
【００７４】
また、回転ドラム５を回転させながら給水を行うことにより、洗濯物は回転ドラム５内を移動するため、洗濯物に洗濯水をまんべんなくかけることができ、略均一に洗濯水を浸透させることができる。これにより、後の泡生成行程（Ｓ１１０〜Ｓ１１２）で回転ドラム５を高い回転速度（１００ｒ／ｍｉｎ以上）で回転させたときに、洗濯水が洗濯物に不均一に浸透しているためアンバランスが生じ外槽６が異常振動しまうといった問題を防止することができる。
【００７５】
次にＳ１０８において、回転ドラム５を、右回転で略静止状態から、第１の所定回転速度（回転ドラム５の回転に伴う遠心力により洗濯物が回転ドラム５の内周面に張り付く程度の回転速度、例えば８０ｒ／ｍｉｎ）まで徐々に加速させることにより、洗濯物に作用する重力よりも遠心力が大きくなるようにして、洗濯物を回転ドラム５の内周面に張り付かせる。
【００７６】
Ｓ１０９では、駆動モータ７へ印加する電圧を、回転ドラム５の回転速度が第１の所定回転速度に保てる程度に固定し、その状態で回転速度の変動を測定し、バランス状態が良いか悪いかを判定する。バランス状態が良いと判定したとき、次の泡生成行程（Ｓ１１０〜Ｓ１１２）へ移り、バランス状態が悪いと判定したとき、回転ドラム５の回転を停止し、Ｓ１０８に戻る。Ｓ１０８を実行し、Ｓ１０９において再度バランス状態を判定し、バランス状態が良いと判定したときは、泡生成行程に移り、再度バランス状態が悪いと判定したときは、次の泡生成行程を行わずに、第２の給水行程（Ｓ１１３〜Ｓ１１６）へ移る。
【００７７】
以上のようにバランス行程（Ｓ１０８〜Ｓ１０９）においては、洗濯物を略均一に回転ドラム５の内周面へ張り付かせるので、後の泡生成行程（Ｓ１１０〜Ｓ１１２）で回転ド
ラム５を高い回転速度（１００ｒ／ｍｉｎ以上）で回転させてもアンバランスが生じず、外槽６の異常振動を防止することができる。
【００７８】
また、このバランス行程において回転ドラム５を回転させることにより洗剤１３ｂが溶解する（洗剤溶解行程）。このバランス行程において洗剤を溶解させておくことにより、後の行程において外槽６内の洗濯水を回転ドラム５内に循環させたときに、洗剤１３ｂが洗濯水に溶けず洗濯物に付着してしまうのを防ぐことができる。
【００７９】
次にＳ１１０では、回転ドラム５の回転速度を、第１の所定回転速度から第３の所定回転速度（第１の所定回転速度より高い回転速度、例えば、１２０ｒ／ｍｉｎ）まで立ち上げ、外槽６内の洗濯水を泡立たせて洗剤泡を生成する。
【００８０】
図１２は回転ドラム５および外槽６の断面図（筐体１の正面側から見た図）であり、図１２に示すように、外槽６の最下部には回転ドラム５の回転方向（右方向、矢印Ｃ方向）と直交する方向に排水溝５４が形成されている。この排水溝５４の側壁５４ａは水流方向（矢印Ｄ方向）に交差しているので、回転ドラム５を右回転させることにより、この側壁５４ａによって水流に乱流（矢印Ｅ）が生じ、乱流によって洗濯水を泡立たせ洗剤泡を生成することができる。
【００８１】
また、回転ドラム底部５ｄに形成されたリブ３８が右回転方向に向かって傾斜しているため、回転ドラム５が右回転することにより洗濯水をより多く掻きあげ、洗濯水をさらに泡立たせることができる。
【００８２】
このようにして大量に生成された洗剤泡は、外槽６と回転ドラム５の間に充満して回転ドラム開口部５ａ側へ上昇し、回転ドラム開口部５ａから回転ドラム５内に次々と入っていく。さらに、リブ３８により外槽６内の洗剤泡を含む洗濯水が掻きあげられることにより、洗濯水は外槽本体胴部２ｂと外槽本体底部２ｃの境界近傍を回転し、外槽本体底部２ｃに設けた案内凹部２１に導かれて取水口２０に取り込まれ、第１〜４の循環水路２２、２６、２７、２８を通って吐出口３２から回転ドラム５内に吐出される。これにより、洗剤泡を含む洗濯水を大量に回転ドラム５内に循環することができる。
【００８３】
このように、回転ドラム５を第３の所定回転速度で第５の所定時間（例えば、３０秒）回転させて洗剤泡を生成し回転ドラム５内に洗剤泡を充満させると（Ｓ１１１）、Ｓ１１２において回転ドラム５を停止する。
【００８４】
回転ドラム５内に洗剤泡が大量にある場合、後述する叩き洗い行程において叩き洗いの効果を十分に得ることができない。しかし、泡生成行程（Ｓ１１０〜Ｓ１１２）の後であって叩き洗い行程より前に、回転ドラム５内に給水し、洗剤泡を消すようにしていることから、回転ドラム５を第３の所定回転速度のように高い回転速度で回転させ大量に洗剤泡を生成しても問題はなく、むしろ洗剤による洗浄力を上げるためにこの泡生成行程では大量に洗剤泡を生成させることが望ましい。
【００８５】
また、第１の給水行程で給水した水は洗濯物に吸収されるため、この泡生成行程における外槽６の水位は、第１の給水行程において給水した第１の所定水位よりはるかに低くなっている。しかし、回転ドラム５を第３の回転速度で回転させているので、取水口２０から取り込んで回転ドラム５内に循環させる循環水量を十分に確保することができる。また、泡生成行程における水位が低いため、高濃度の洗剤泡を生成し洗濯物に浸透させることができ洗浄力を上げることができる。
【００８６】
さらに、前行程のバランス行程から回転方向を変えずに徐々に回転速度を上げているの
で、洗濯物が回転ドラム５の内周面に張り付いた状態で回転しており、洗濯物が一部に固まって回転している状態よりも広い範囲で洗濯物に洗剤泡を浸透させることができ、洗剤泡をより早く洗濯物全体に浸透させることができる。
【００８７】
以上により泡生成行程（Ｓ１１０〜Ｓ１１２）では、洗濯水を体積の大きい泡の状態にして、回転ドラム５内の洗濯物に付着浸透させることにより、汚れに洗剤成分が作用しやすくなり、高濃度の洗剤液が染み込みやすくなって洗いむらが抑制され、洗浄力が向上する。また、洗剤泡を含む洗濯水を早期に洗濯物に浸透させるほど洗浄力を上げることができるので、この泡生成行程はできるだけ早い段階で行うことが望ましい。
【００８８】
次にＳ１１３では、第１の給水弁９を開き第１給水ホース１０ａを通じて注水口金部１０ｂから回転ドラム５内に給水するとともに、回転ドラム５を、第２の所定回転速度（回転ドラム５内に収容された洗濯物が、回転ドラム５の回転により回転方向に持ち上げられ、回転に伴う慣性や遠心力よりも自重が勝る高さ位置に移動したとき回転ドラム５の下方内周面上に落下する挙動を示す回転速度、例えば４５ｒ／ｍｉｎ）で右回転・休止・第２の所定回転速度で左回転・休止の順で繰り返し回転させる。
【００８９】
第２の所定水位（第１の所定水位と同程度か低い水位）まで給水すると（Ｓ１１４）、Ｓ１１５において第１の給水弁９を閉じ給水を停止する。
【００９０】
第６の所定時間（例えば、１分３０秒）回転および給水を行うと（Ｓ１１６）、次の叩き洗い行程（Ｓ１１７〜Ｓ１２０）へ移る。
【００９１】
以上のように第２の給水行程（Ｓ１１３〜Ｓ１１６）において、回転ドラム５内に直接給水することにより、回転ドラム５内の洗剤泡を減らし、洗濯水の洗剤濃度を下げている。すなわち、後の叩き洗い行程において、叩き洗いを行うときに回転ドラム５内に洗剤泡があると、洗剤泡がクッションとなって叩き洗いの効果が十分に得られない。そのため、この第２の給水行程で給水することにより、洗剤泡を減らし、洗剤濃度を低くして洗濯水の泡立ちを減らすようにしている。
【００９２】
次にＳ１１７において、第１の給水弁９を開き第１給水ホース１０ａを通じて注水口金部１０ｂから回転ドラム５の内部に第１の所定水位まで給水するとともに、回転ドラム５を第２の所定回転速度で右回転・休止・第２の所定回転速度で左回転・休止の順に繰り返し回転させる。
【００９３】
第１の水位まで給水すると（Ｓ１１８）、Ｓ１１９において第１の給水弁９を閉じ給水を停止する。
【００９４】
回転ドラム５を第１の所定時間（例えば、３分３０秒）給水および回転させると（Ｓ１２０）、次の張り付き行程（Ｓ１２１〜Ｓ１２２）へ移る。
【００９５】
回転ドラム５を第２の所定回転速度で回転させることにより、回転ドラム５の内周面の複数位置に設けた撹拌突起５ｅが、回転ドラム５内の洗濯物を引っ掛けて回転方向に持ち上げる。持ち上げられた洗濯物は、その自重が回転に伴う慣性や遠心力に勝る高さ位置まで持ち上げられたとき落下する。このように洗濯物は次々と持ち上げられては落下するため位置が次々と入れ替わり、注水口金部１０ｂから回転ドラム５に給水される水が洗濯物に略均一にふりかかり浸透する。これにより、前行程の泡生成行程により洗濯物に付着浸透している洗剤泡が注水口金部１０ｂより給水される水によってさらに洗濯物内部にまで浸透することになる。このように随時洗濯物に洗剤泡が浸透しながら、洗濯物は落下したときの衝撃力で洗浄される。
【００９６】
また、回転ドラム５を第１の所定回転速度より低い第２の所定回転速度で回転させることによって、取水口２０から取り込まれ回転ドラム５内に循環される循環水量を、後行程の張り付き行程における循環水量より低いかまたは循環されないようにしている。
【００９７】
すなわち、長時間洗濯水を循環させて吐出口３２から吐出させると、吐出されたときに洗濯物や回転ドラム５の内周面と当たる衝撃によって洗濯水が泡立ち洗剤泡が多く発生してしまう。叩き洗い行程を行う第１の所定時間は、後の張り付き行程を行う第２の所定時間より長いため、叩き洗い行程では洗剤泡をできるだけ発生させないように低い回転速度で回転させることにより洗濯水の循環水量を抑えている。
【００９８】
次にＳ１２１において、回転ドラム５を第１の所定回転速度で右回転させると、外槽６内の洗濯水はリブ３８により掻きあげられて取水口２０に取り込まれ、第１〜４の循環水路２２、２６、２７、２８を通って吐出口３２から回転ドラム５内に吐出され、回転ドラム５内に循環される。洗濯水を循環させることにより洗濯物に洗濯水をより多く浸透させることができる。
【００９９】
回転ドラム５を第２の所定時間（例えば、３０秒）回転させると（Ｓ１２２）、Ｓ１１７に戻って再び叩き洗い行程を開始する。これにより、張り付き行程で洗濯物に洗濯水を十分に浸透させた状態で叩き洗い行程を行うことができる。叩き洗い行程と張り付き行程を第３の所定時間（例えば、３３分）経過するまで繰り返して行い、第３の所定時間経過すると（Ｓ１２３）、次にすすぎ行程へ移る（Ｓ１２４）。
【０１００】
この張り付き行程において第３の回転速度より低い第１の回転速度で回転させているのは、洗剤泡の発生を抑えるためである。すなわち、外槽６内に洗剤泡が多く発生し、第１〜４の循環水路２２、２６、２７、２８に洗剤泡が入ってしまうと、洗濯水よりも軽い洗剤泡は吐出口３２近傍に集まるため、洗濯水が回転ドラム５内へ吐出されるときの勢いが弱くなり、循環された洗濯水が洗濯物にかかりにくくなってしまう。そこで、泡生成行程での第３の所定回転速度よりも低い第１の所定回転速度で回転させることにより、洗剤泡の発生を抑えている。
【０１０１】
また、張り付き行程より前の第２の給水行程および叩き洗い行程において第１の所定水位になるよう給水を行っているため、外槽６の水位は泡生成行程での水位よりも高いことから、泡生成行程における第３の所定回転速度より低い第１の所定回転速度で回転させても、十分な循環水量を確保することができる。さらに、前の行程で給水することにより洗剤濃度を低くしているので、洗剤泡の発生を抑えることができる。
【０１０２】
以上のように叩き洗い行程と張り付き行程を繰り返し行うことにより、洗濯水を循環させて洗濯物により多くの洗濯水を浸透させることができ、洗濯物に洗濯水を十分浸透させた状態で叩き洗いを行うことができるので、洗濯水の浸透が不十分な状態で叩き洗いを行う場合に比べて洗浄力を向上させることができるともに、洗浄ムラを減らすことができる。
【０１０３】
また、洗濯水を循環させることにより、外槽６内の水位を上げることなく洗浄力を上げることができる。さらに、同じ洗浄効果を得るための時間が短くなり、洗い時間を短縮することができる。
【０１０４】
以上の洗い行程（Ｓ１００〜Ｓ１２３）を行った後、すすぎ行程、脱水行程を行う。
【０１０５】
なお、本実施の形態１では洗い行程において泡生成行程、叩き洗い行程および張り付き
行程を行ったが、泡生成行程を行わずに叩き洗い行程と張り付き行程を行ってもよく、張り付き行程において外槽６内の洗濯水を吐出口３２より回転ドラム５内に循環し、洗濯物に洗濯水を十分に浸透させた状態で叩き洗いを行うことにより、洗浄力を向上させることができる。
【０１０６】
また、本実施の形態１では、泡検知手段５３を温風送風経路５１内に設けた場合について説明したが、泡検知手段５３を設ける位置は外槽６内の洗濯泡の量を検知できる位置であればどこでもよく、その位置に応じて、各行程における回転ドラム５の回転方向を決めてもよい。さらに、泡検知手段５３に関係なく各行程の回転ドラム５の回転方向を決めてもよい。
【０１０７】
また、本実施の形態１では、乾燥機能を有するドラム式洗濯機について説明したが、乾燥機能を有しないドラム式洗濯機でも同様の効果を奏することができる。
【０１０８】
また、リブ３８の形状は本実施の形態１で説明した形状に限定されず、洗濯水を掻きあげる形状であることが望ましいが、リブ３８を設けなくても洗濯水を循環させることができるのであればリブ３８を設けなくてもよい。
【０１０９】
また、本実施の形態１では、回転ドラム５の回転速度を、泡生成行程と張り付き行程で異なる回転速度としたが、泡生成行程および張り付き行程において同じ回転速度で回転ドラム５を回転させても良く、張り付き行程において洗剤泡が過剰に発生しないのであれば張り付き行程での回転速度を泡生成行程での回転速度より高くしてもよい。張り付き行程において高い回転速度で回転させることにより、循環水量を増やすことができる。さらに、洗濯物の量に対応する設定水位に応じて、泡生成行程、叩き洗い行程および張り付き行程の回転速度をそれぞれ変えることにより循環水量を調節してもよい。
【０１１０】
また、本実施の形態１では、叩き洗い行程における循環水量を、張り付き行程での循環水量より少ないかまたは循環させないように回転速度を調節したが、回転速度を上げて洗濯水を十分循環させるようにしてもよい。この場合、洗剤泡が発生し叩き洗いによる洗浄力が薄れる可能性があるが、洗濯物により多くの洗濯水を浸透させることができるので、洗剤による洗浄力を上げることができる。
【０１１１】
また、洗剤溶解行程はバランス行程より前に設けてもよく、洗濯水が回転ドラム５内へ循環される前に洗剤を溶解することにより、洗剤１３ｂが洗濯水に溶けず洗濯物に付着してしまうのを防ぐことができる。
【産業上の利用可能性】
【０１１２】
以上のように、本発明にかかるドラム式洗濯機は、循環ポンプを用いずに叩き洗いすることができるため、洗浄力を向上させることができるともに洗浄ムラを減少させることが可能となるので、洗濯機に限らず、回転ドラムを回転させながら洗浄を行う各種機器、装置にも広く適用できるものである。
【図面の簡単な説明】
【０１１３】
【図１】本発明の実施の形態１におけるドラム式洗濯機の断面図
【図２】同外槽内に送風する循環送風経路を示す側断面図
【図３】同外槽内に送風する循環送風経路を示す断面図
【図４】同制御装置の構成を示すブロック図
【図５】同外槽本体の斜視図
【図６】同外槽カバーの斜視図
【図７】（ａ）同循環ノズルの正面図（ｂ）同循環ノズルの平面図（ｃ）同循環ノズルの側断面図
【図８】同回転ドラムの底部の外方からの平面図
【図９】同回転ドラムの縦断面図
【図１０】同制御手段の動作フローチャート
【図１１】同制御手段の動作フローチャート
【図１２】同外槽および回転ドラムの主要断面図
【図１３】従来のドラム式洗濯機の構造を示す断面図
【符号の説明】
【０１１４】
１  筐体
２  外槽本体
３  外槽カバー
５  回転ドラム
６  外槽
１６  制御手段
２０  取水口
２２  第１の循環水路
２６  第２の循環水路
２７  第３の循環水路
２８  第４の循環水路
３２  吐出口
【図１】
0004466521.tif 000002
【図２】
0004466521.tif 000003
【図３】
0004466521.tif 000004
【図４】
0004466521.tif 000005
【図５】
0004466521.tif 000006
【図６】
0004466521.tif 000007
【図７】
0004466521.tif 000008
【図８】
0004466521.tif 000009
【図９】
0004466521.tif 000010
【図１０】
0004466521.tif 000011
【図１１】
0004466521.tif 000012
【図１２】
0004466521.tif 000013
【図１３】
0004466521.tif 000014